【手続補正書】
【提出日】平成22年10月5日(2010.10.5)
【手続補正１】
【補正対象書類名】特許請求の範囲
【補正対象項目名】全文
【補正方法】変更
【補正の内容】
【特許請求の範囲】
【請求項１】
ターゲット特定コンテンツ−メッセージ関連プロフィールを生成する方法であって、
無線アクセス端末（Ｗ−ＡＴ）において使用法関連規則を用いてユーザープロフィールを生成することであって、前記使用法関連規則は、動的プロパティを前記ユーザープロフィールに提供することと、
前記ユーザープロフィールの全体又は一部を前記ターゲット特定コンテンツ−メッセージ関連プロフィールとして用いることと、
新しい規則を受信することと、
前記受信された新しい規則に従って前記プロフィールを変更することと、を備える、方法。
【請求項２】
新しい規則を受信することと、
前記新しい規則を前記Ｗ−ＡＴに格納すること、とをさらに備える請求項１に記載の方法。
【請求項３】
一組の基本規則に応じて前記規則を用いて前記ターゲット特定コンテンツ−メッセージ関連プロフィールを生成することをさらに備える請求項１に記載の方法。
【請求項４】
前記一組の基本規則は、予めスケジューリングされたイベントに応じた１つ以上の規則を含む請求項３に記載の方法。
【請求項５】
基本規則及び限定規則に応じて前記一組の規則を用いて前記ターゲット特定コンテンツ−メッセージ関連プロフィールを生成することをさらに備える請求項１に記載の方法。
【請求項６】
前記基本規則は、予めスケジューリングされたイベントを含み、前記限定規則は、条件及びイベントのうちの少なくとも１つを含む請求項５に記載の方法。
【請求項７】
少なくとも１つの条件は、前記予めスケジューリングされたイベントを起動するための条件を用いるために物理的状態情報及び動作状態情報のうちの少なくとも１つに関連する請求項６に記載の方法。
【請求項８】
限定規則として提供された新しい規則を受信することと、
前記受信された新しい規則に従って前記プロフィールを変更すること、とをさらに備える請求項１に記載の方法。
【請求項９】
限定規則として提供された新しい規則を受信することであって、前記限定された側面は、使用量を含むことと、
前記受信された新しい規則に従って前記プロフィールを変更すること、とをさらに備える請求項１に記載の方法。
【請求項１０】
前記プロフィールを生成する際に所在場所情報を含む物理的状態情報を用いることをさらに備える請求項１に記載の方法。
【請求項１１】
前記プロフィールを生成する際に所在位置情報を含む物理的状態情報、及び少なくとも１つのその他のイベントを用いることをさらに備える請求項１０に記載の方法。
【請求項１２】
前記プロフィールを生成する際に所在場所情報を含む物理的状態情報及び少なくとも１つの時間関連イベントを用いることをさらに備える請求項１０に記載の方法。
【請求項１３】
少なくとも１つの限定規則に応じて前記規則を用いて前記ターゲット特定コンテンツ−メッセージ関連プロフィールを生成することであって、前記限定規則は、前記Ｗ−ＡＴによって検出されて前記ユーザーによる動作に対応する条件を含ことと、所在場所の検出を含むこと、とをさらに備える請求項１に記載の方法。
【請求項１４】
所在場所の前記検出と人口統計データとの間の対応性を取得することをさらに備える請求項１３に記載の方法。
【請求項１５】
Ｗ−ＡＴ情報を利用して前記Ｗ−ＡＴに適する方法でコンテンツ表示を個別に適合化するために前記Ｗ−ＡＴの物理的構成によって制御される少なくとも１つの規則を用いることをさらに備える請求項１に記載の方法。
【請求項１６】
コンテンツは、線形、階層、アニメーション、ポップアップ及びソフトキーのメニューオプションから選択されたメニュー配列要素を含むメニュー配列に従って構成される請求項１５に記載の方法。
【請求項１７】
前記ターゲット特定コンテンツ−メッセージ関連プロフィールを用いて前記ユーザーの装置におけるデータ処理を行って広告及びその他の媒体と前記ユーザープロフィール内の情報との関連づけを提供するが、Ｗ−ＡＴ又は加入者ネットワークにおいてその目的のために個人を特定可能な顧客情報を使用しないこと及び個人を特定可能な顧客情報を第三者に開示しないことをさらに備える請求項１に記載の方法。
【請求項１８】
前記ターゲット特定コンテンツ−メッセージ関連プロフィールを、少なくとも１つのターゲット特定コンテンツ−メッセージを広告メッセージの形態で提供するための選択基準として用いることをさらに備える請求項１に記載の方法。
【請求項１９】
前記ターゲット特定コンテンツ−メッセージ関連プロフィールを、少なくとも１つのターゲット特定コンテンツ−メッセージを広告メッセージの形態で提供するための選択基準として用いることと、
前記ターゲット特定コンテンツ−メッセージ関連プロフィールを用いてデータ処理を行って広告及びその他の媒体とユーザープロフィール内の情報との関連づけを提供するが、Ｗ−ＡＴ又は加入者ネットワークにおいてその目的のために個人を特定可能な顧客情報を使用しないこと及び個人を特定可能な顧客情報を第三者に開示しないこと、とをさらに備える請求項１に記載の方法。
【請求項２０】
無線アクセス端末（Ｗ−ＡＴ）であって、
動的プロパティをユーザープロフィールに提供するために使用法関連規則を用いて前記ユーザープロフィールを生成するように構成された第１の処理回路と、
前記ユーザープロフィールをターゲット特定コンテンツ−メッセージ関連プロフィールとして用いるように構成された第２の回路と、
前記使用法関連規則を提供し及びユーザープロフィールを生成する能力を有する前記回路モジュールに前記使用法関連規則を供給し、それによってユーザープロフィールを生成する能力を有する前記回路モジュールに前記受信された新しい規則に従って前記プロフィールを変更させるための命令を受信するように構成された第３の回路と、を備える、無線アクセス端末（Ｗ−ＡＴ）。
【請求項２１】
前記第１の処理回路は、少なくとも１つの基本規則及び１つの限定規則の両方を用いてユーザープロフィールを生成するように構成される請求項２０に記載のＷ−ＡＴ。
【請求項２２】
前記第１の処理回路は、物理的状態情報を用いてユーザープロフィールを生成するように構成される請求項２１に記載のＷ−ＡＴ。
【請求項２３】
前記第１の処理回路は、所在場所及び人口統計データのうちの少なくとも１つを用いてユーザープロフィールを生成するように構成される請求項２０に記載のＷ−ＡＴ。
【請求項２４】
前記第１の処理回路は、前記Ｗ−ＡＴの前記物理的構成に基づいてユーザープロフィールを生成するように構成される請求項２０に記載のＷ−ＡＴ。
【請求項２５】
ターゲット特定コンテンツ−メッセージ関連プロフィールを生成する能力を有する無線アクセス端末（Ｗ−ＡＴ）であって、
使用法関連規則を提供するための命令を受信するための手段と、
前記使用法関連規則を用いてユーザープロフィールを生成するための手段であって、前記使用法関連規則は、動的プロパティを前記ユーザープロフィールに提供する手段と、
前記ユーザープロフィールの全体又は一部を前記ターゲット特定コンテンツ−メッセージ関連プロフィールとして用いるための手段と、
新しい規則を受信するための手段と、
前記受信された新しい規則に従って前記プロフィールを変更するための手段と、を備える、無線アクセス端末（Ｗ−ＡＴ）。
【請求項２６】
基本規則に応じて前記規則を用いて前記ターゲット特定コンテンツ−メッセージ関連プロフィールを生成するための手段であって、予めスケジューリングされたイベントに応じることを含む手段、をさらに備える請求項２５に記載のＷ−ＡＴ。
【請求項２７】
基本規則及び限定規則に応じて前記規則を用いて前記ターゲット特定コンテンツ−メッセージ関連プロフィールを生成するための手段をさらに備え、前記基本規則は、予めスケジューリングされたイベントを含み、前記限定規則は、少なくとも１つの条件とイベトンとを含み、条件は、前記予めスケジューリングされたイベントを起動させるための条件を用いるために物理的状態情報及び動作状態情報のうちの少なくとも１つに関連する請求項２５に記載のＷ−ＡＴ。
【請求項２８】
限定規則として提供された前記新しい規則を受信するための手段と、
前記受信された新しい規則に従って前記プロフィールを変更するための手段と、をさらに備える請求項２５に記載のＷ−ＡＴ。
【請求項２９】
前記プロフィールを生成する際に所在場所情報を含む物理的状態情報を用いるための手段をさらに備える請求項２５に記載のＷ−ＡＴ。
【請求項３０】
前記プロフィールを生成する際に所在場所情報と少なくとも１つのその他のイベントとを含む物理的状態情報を用いるための手段をさらに備える請求項２５に記載のＷ−ＡＴ。
【請求項３１】
前記プロフィールを生成する際に所在場所情報と少なくとも１つの時間関連イベントとを含む物理的状態情報を用いるための手段をさらに備える請求項２５に記載のＷ−ＡＴ。
【請求項３２】
少なくとも１つの限定規則に応じて前記規則を用いて前記ターゲット特定コンテンツ−メッセージ関連プロフィールを生成するための手段であって、前記限定規則は、前記Ｗ−ＡＴによって検出されて前記ユーザーによる動作に対応する条件を含み、及び所在場所の検出を含む手段と、
所在場所の前記検出と人口統計データとの間の対応性を取得するための手段と、をさらに備える請求項２５に記載のＷ−ＡＴ。
【請求項３３】
Ｗ−ＡＴ情報を利用して前記Ｗ−ＡＴに適する方法で前記コンテンツを個別に適合化するために前記構成によって制御される少なくとも１つの規則を提供するための手段をさらに備える請求項２５に記載のＷ−ＡＴ。
【請求項３４】
前記ターゲット特定コンテンツ−メッセージ関連プロフィールを用いて、広告及びその他の媒体と前記ユーザープロフィール内の情報との関連づけを提供するための前記Ｗ−ＡＴの前記物理的構成に基づいたデータ処理を行うが、前記Ｗ−ＡＴ又は加入者ネットワークにおいてその目的のために個人を特定可能な顧客情報を使用せず及び個人を特定可能な顧客情報を予め決められた第三者に開示しない手段をさらに備える請求項２５に記載のＷ−ＡＴ。
【請求項３５】
コンピュータプログラム製品であって、
Ｗ−ＡＴにおいて使用法関連規則を提供するための命令を受信するための第１の命令と、
無線アクセス端末（Ｗ−ＡＴ）において使用法関連規則を用いてユーザープロフィールを生成することをコンピュータに行わせるための第２の命令であって、前記使用法関連規則は、動的プロパティを前記ユーザープロフィールに提供する第２の命令と、
前記ユーザープロフィールをターゲット特定コンテンツ−メッセージ関連プロフィールとして用いることを前記コンピュータに行わせるための第３の命令と、
前記受信された新しい規則に従って前記プロフィールを変更するための第４の命令と、を備えるコンピュータによって読み取り可能な媒体を備える、コンピュータプログラム製品。
【請求項３６】
前記プロフィールを変更するための前記命令によって変更された前記変更されたプロフィールを、少なくとも１つのターゲット特定コンテンツ−メッセージを広告メッセージの形態で提供するための選択基準として用いるための第５の命令をさらに備える請求項３５に記載のコンピュータプログラム製品。
【請求項３７】
無線通信デバイス（ＷＣＤ）において用いるための、少なくとも１つの半導体集積回路チップを含むチップセットであって、
使用法関連規則を提供するための命令を受信する能力を有する回路と、
前記使用法関連規則を用いてユーザープロフィールを生成する能力を有する回路であって、前記使用法関連規則は、動的プロパティを前記ユーザープロフィールに提供する回路と、
前記ユーザープロフィールを前記ターゲット特定コンテンツ−メッセージ関連プロフィールとして用いる能力を有する回路と、
新しい規則を受信する能力を有する回路と、
前記受信された新しい規則に従って前記プロフィールを変更する能力を有する回路と、を備える、チップセット。
【請求項３８】
前記ターゲット特定コンテンツ−メッセージ関連プロフィールは前記ユーザーに関連するカテゴリを規定するプロフィール要素、好ましくは人口統計プロフィール要素あるいは行動プロフィール要素を含む請求項１に記載の方法。